(57)【要約】【課題】ユーザが携帯し利用するＩＣカードなどの情報記憶媒体に記憶される情報を用いて、ユーザにとって有用な情報を、ユーザにとってより簡単な方法で提供する。【解決手段】地図情報生成装置は、情報記憶媒体の媒体種別のそれぞれに対応付けて、読み取り端末が設置された地図上の位置を示す読み取り端末位置情報を予め記憶し、入力される位置情報が示す位置が含まれる範囲の地図情報の、読み出した情報記憶媒体の媒体種別に対応付けられた地図上の位置に、その媒体種別に応じた表示情報を配置した加工済地図情報を出力する。【選択図】図１
2009266172.tif 000002
【特許請求の範囲】
【請求項１】
複数種類の媒体種別のうち、自身の媒体種別を示す情報が記憶され、当該媒体種別に対応する読み取り端末からの通信要求に応じて自身に記憶されている情報を出力する情報記憶媒体と、通信を行う地図情報生成装置であって、
地図を表す画像である地図情報が記憶される地図情報記憶部と、
前記複数の媒体種別のそれぞれに対応付けて、前記媒体種別に対応する前記読み取り端末が設置された前記地図上の位置を示す読み取り端末位置情報と、当該読み取り端末を前記地図上に表す表示情報とが含まれる読み取り端末情報が予め記憶されている読み取り端末位置情報記憶部と、
前記情報記憶媒体に記憶された前記媒体種別を読み出す媒体種別読み出し部と、
前記地図情報に表される前記地図のうち、表示対象の地図の範囲を定める基準となる位置を示す位置基準情報であって、入力される位置基準情報に示される前記地図上の位置が含まれる範囲の前記地図情報を、前記地図情報記憶部から表示対象の地図情報として読み出す表示対象地図情報取得部と、
前記表示対象の地図情報に表される地図上の位置であって、前記表示対象地図情報取得部が取得した前記表示対象の地図の範囲に含まれ、前記媒体種別読み出し部が読み出した前記媒体種別に対応付けられて前記読み取り端末位置情報に記憶されている前記読み取り端末位置情報が示す位置に、当該媒体種別に対応する前記表示情報を配置して加工済地図情報を生成する地図情報加工部と、
前記地図情報加工部が生成した前記加工済地図情報を出力する地図情報出力部と、
を備えることを特徴とする地図情報生成装置。
【請求項２】
前記情報記憶媒体には、当該情報記憶媒体が自身に対応する前記読み取り端末からの通信要求に応じて定められた取引処理を行った場合、当該読み取り端末が設置された前記地図上の位置を識別可能な取引情報が含まれる利用履歴情報が記憶されており、当該情報記憶媒体に記憶された前記利用履歴情報を読み出す利用履歴情報読み出し部をさらに備え、
前記表示対象地図情報取得部は、前記利用履歴情報読み出し部が読み出した前記利用履歴情報に含まれる前記取引情報に対応する前記読み取り端末の前記地図上の位置を示す位置情報を前記位置基準情報として、前記地図情報記憶部から、当該位置基準情報が示す位置が含まれる範囲の前記地図情報を表示対象の地図情報として読み出す
ことを特徴とする請求項１に記載の地図情報生成装置。
【請求項３】
前記情報記憶媒体に記憶されている前記媒体種別を読み出し、読み出した前記媒体種別に応じた前記加工済地図情報を表示する表示部を有し、自身が設置されている前記地図上の位置を示す表示端末位置情報が予め記憶されている表示端末から、当該表示端末が前記情報記憶媒体から読み出した前記媒体種別と、当該表示端末に記憶されている前記表示端末位置情報とを受信する通信部と、をさらに備え、
前記表示対象地図情報取得部は、前記通信部が受信した前記表示端末位置情報を前記位置基準情報として、前記地図情報記憶部から、当該位置基準情報が示す位置が含まれる範囲の前記地図情報を表示対象の地図情報として読み出す
ことを特徴とする請求項１または請求項２のいずれか１項に記載の地図情報生成装置。
【請求項４】
前記情報記憶媒体は、衛星測位システムにより自身の位置を示す衛星測位位置情報を取得する携帯情報端末であり、当該携帯情報端末から、前記衛星測位位置情報を読み出す衛星測位位置情報読み出し部と、をさらに備え、
前記表示対象地図情報取得部は、衛星測位位置情報読み出し部が読み出した前記衛星測位位置情報を前記位置基準情報として、前記地図情報記憶部から、当該位置基準情報が示す位置が含まれる範囲の前記地図情報を表示対象の地図情報として読み出す
ことを特徴とする請求項１から請求項３までのいずれか１項に記載の地図情報生成装置。
【請求項５】
前記読み取り端末は、前記地図情報を表示する表示部を有し、自身が設置されている前記地図上の位置を示す前記読み取り端末位置情報が予め記憶されており、前記表示対象地図情報取得部は、前記読み取り端末から読み出した前記読み取り端末位置情報を前記位置基準情報として、前記地図情報記憶部から、当該位置基準情報が示す位置が含まれる範囲の前記地図情報を表示対象の地図情報として読み出す
ことを特徴とする請求項１から請求項４までのいずれか１項に記載の地図情報生成装置。
【請求項６】
複数種類の媒体種別のうち、自身の媒体種別を示す情報が記憶され、当該媒体種別に対応する読み取り端末からの通信要求に応じて、自身に記憶されている情報を出力する情報記憶媒体と通信を行い、地図を表す画像である地図情報が記憶される地図情報記憶部と、前記複数の媒体種別のそれぞれに対応付けて、前記媒体種別に対応する前記読み取り端末が設置された前記地図上の位置を示す読み取り端末位置情報と、当該読み取り端末を前記地図上に表す表示情報とが含まれる読み取り端末情報が予め記憶されている読み取り端末位置情報記憶部とを備えた地図情報生成装置を用いた地図情報生成方法であって、
前記地図情報生成装置の、
媒体種別読み出し部が、前記情報記憶媒体に記憶された前記媒体種別を読み出すステップと、
表示対象地図情報取得部が、前記地図情報に表される前記地図のうち、表示対象の地図の範囲を定める基準となる位置を示す位置基準情報であって、入力される位置基準情報に示される前記地図上の位置が含まれる範囲の前記地図情報を、前記地図情報記憶部から表示対象の地図情報として読み出すステップと、
地図情報加工部が、前記表示対象の地図情報の、前記表示対象地図情報取得部が取得した前記表示対象の地図の範囲に含まれ、前記媒体種別読み出し部が読み出した前記媒体種別に対応付けられて前記読み取り端末位置情報に記憶されている前記読み取り端末位置情報が示す位置に、当該媒体種別に対応する前記表示情報を配置した加工済地図情報を生成するステップと、
地図情報出力部が、前記地図情報加工部が生成した前記加工済地図情報を出力するステップと、
を備えることを特徴とする地図情報生成方法。
【請求項７】
複数種類の媒体種別のうち、自身の媒体種別を示す情報が記憶され、当該媒体種別に対応する読み取り端末からの通信要求に応じて、自身に記憶されている情報を出力する情報記憶媒体と通信を行い、地図を表す画像である地図情報が記憶される地図情報記憶部と、前記複数の媒体種別のそれぞれに対応付けて、前記媒体種別に対応する前記読み取り端末が設置された前記地図上の位置を示す読み取り端末位置情報と、当該読み取り端末を前記地図上に表す表示情報とが含まれる読み取り端末情報が予め記憶されている読み取り端末位置情報記憶部とを備えた地図情報生成装置のコンピュータに、
媒体種別読み出し部が、前記情報記憶媒体に記憶された前記媒体種別を読み出すステップと、
表示対象地図情報取得部が、前記地図情報に表される前記地図のうち、表示対象の地図の範囲を定める基準となる位置を示す位置基準情報であって、入力される位置基準情報に示される前記地図上の位置が含まれる範囲の前記地図情報を、前記地図情報記憶部から表示対象の地図情報として読み出すステップと、
地図情報加工部が、前記表示対象の地図情報の、前記表示対象地図情報取得部が取得した前記表示対象の地図の範囲に含まれ、前記媒体種別読み出し部が読み出した前記媒体種別に対応付けられて前記読み取り端末位置情報に記憶されている前記読み取り端末位置情報が示す位置に、当該媒体種別に対応する前記表示情報を配置した加工済地図情報を生成するステップと、
地図情報出力部が、前記地図情報加工部が生成した前記加工済地図情報を出力するステップと、
を実行させる地図情報生成プログラム。
【発明の詳細な説明】
【技術分野】
【０００１】
本発明は、情報記憶媒体に記憶された情報に基づいて地図情報を生成する地図情報生成装置、地図情報生成方法、および地図情報生成プログラムに関する。
【背景技術】
【０００２】
近年、情報の記憶や演算を行うＩＣ（集積回路）チップを組み込んだＩＣカードが普及し、ユーザに利用されている。このようなＩＣカードには、クレジットカード、キャッシュカード、電子マネー、電子チケット、電子クーポンなどの１または複数のサービスに対応する取引処理を行う機能が搭載され、店舗や駅などに設置された読み取り端末と通信して取引処理が行われる。ＩＣカードには、そのＩＣカードが対応するサービスを示す媒体種別が記憶されており、読み取り端末は、ＩＣカードから読み出した媒体種別が自身の提供するサービスに対応する媒体種別であると判定すると、その媒体種別に対応する取引処理サービスを提供する。ＩＣカードには、自身の媒体種別に対応するサービスを利用すると、その取引場所を示す施設コード、利用日時、取引金額などの情報が含まれる取引コードが利用履歴として記憶される。特許文献１には、このようにＩＣカードに記憶された利用履歴を読み出して、ディスプレイへの表示や紙媒体へのプリントアウトを行って、ユーザがＩＣカードの利用履歴を確認することを可能とする技術が示されている。
【特許文献１】特開平１１−１７５６７１号公報
【発明の開示】
【発明が解決しようとする課題】
【０００３】
しかしながら、上述の特許文献１によっては、ＩＣカードに記憶されている情報に基づいてユーザに提供される情報は文字情報による利用履歴に止まるものであり、ＩＣカードに記憶された情報が有効に活用されているとはいえなかった。ここで、ユーザには、ＩＣカードに記憶されている情報を活用した有用な情報が提供されることが望ましい。
【０００４】
本発明は、このような状況に鑑みてなされたもので、ユーザが携帯し利用するＩＣカードなどの情報記憶媒体に記憶される情報を用いて、ユーザにとって有用な情報を、ユーザにとってより簡単な方法で提供することが可能な地図情報生成装置、地図情報生成システム、および地図情報生成方法を提供する。
【課題を解決するための手段】
【０００５】
上述した課題を解決するために、本発明は、複数種類の媒体種別のうち、自身の媒体種別を示す情報が記憶され、媒体種別に対応する読み取り端末からの通信要求に応じて自身に記憶されている情報を出力する情報記憶媒体と、通信を行う地図情報生成装置であって、地図を表す画像である地図情報が記憶される地図情報記憶部と、複数の媒体種別のそれぞれに対応付けて、媒体種別に対応する読み取り端末が設置された地図上の位置を示す読み取り端末位置情報と、読み取り端末を地図上に表す表示情報とが含まれる読み取り端末情報が予め記憶されている読み取り端末位置情報記憶部と、情報記憶媒体に記憶された媒体種別を読み出す媒体種別読み出し部と、地図情報に表される地図のうち、表示対象の地図の範囲を定める基準となる位置を示す位置基準情報であって、入力される位置基準情報に示される地図上の位置が含まれる範囲の地図情報を、地図情報記憶部から表示対象の地図情報として読み出す表示対象地図情報取得部と、表示対象の地図情報の位置であって、表示対象地図情報取得部が取得した表示対象の地図の範囲に含まれ、媒体種別読み出し部が読み出した媒体種別に対応付けられて読み取り端末位置情報に記憶されている読み取り端末位置情報が示す位置に、媒体種別に対応する表示情報を配置して加工済地図情報を生成する地図情報加工部と、地図情報加工部が生成した加工済地図情報を出力する地図情報出力部と、を備えることを特徴とする。
【０００６】
また、本発明は、上述の情報記憶媒体には、情報記憶媒体が自身に対応する読み取り端末からの通信要求に応じて定められた取引処理を行った場合、読み取り端末が設置された地図上の位置を識別可能な取引情報が含まれる利用履歴情報が記憶されており、情報記憶媒体に記憶された利用履歴情報を読み出す利用履歴情報読み出し部をさらに備え、表示対象地図情報取得部は、利用履歴情報読み出し部が読み出した利用履歴情報に含まれる取引情報に対応する読み取り端末の地図上の位置を示す位置情報を位置基準情報として、地図情報記憶部から、位置基準情報が示す位置が含まれる範囲の地図情報を表示対象の地図情報として読み出すことを特徴とする。
【０００７】
また、本発明は、情報記憶媒体に記憶されている媒体種別を読み出し、読み出した媒体種別に応じた地図情報を表示する表示部を有し、自身が設置されている地図上の位置を示す表示端末位置情報が予め記憶されている表示端末から、表示端末が情報記憶媒体から読み出した媒体種別と、表示端末に記憶されている表示端末位置情報とを受信する通信部と、をさらに備え、表示対象地図情報取得部は、通信部が受信した表示端末位置情報を位置基準情報として、地図情報記憶部から、位置基準情報が示す位置が含まれる範囲の地図情報を表示対象の地図情報として読み出すことを特徴とする。
【０００８】
また、本発明は、上述の情報記憶媒体は、衛星測位システムにより自身の位置を示す衛星測位位置情報を取得する携帯情報端末であり、携帯情報端末から、衛星測位位置情報を読み出す衛星測位位置情報読み出し部と、をさらに備え、表示対象地図情報取得部は、衛星測位位置情報読み出し部が読み出した衛星測位位置情報を位置基準情報として、地図情報記憶部から、位置基準情報が示す位置が含まれる範囲の地図情報を表示対象の地図情報として読み出すことを特徴とする。
【０００９】
また、本発明は、読み取り端末は、地図情報を表示する表示部を有し、自身が設置されている地図上の位置を示す読み取り端末位置情報が予め記憶されており、表示対象地図情報取得部は、読み取り端末から読み出した読み取り端末位置情報を位置基準情報として、地図情報記憶部から、位置基準情報が示す位置が含まれる範囲の地図情報を表示対象の地図情報として読み出すことを特徴とする。
【００１０】
また、本発明は、複数種類の媒体種別のうち、自身の媒体種別を示す情報が記憶され、媒体種別に対応する読み取り端末からの通信要求に応じて、自身に記憶されている情報を出力する情報記憶媒体と通信を行い、地図を表す画像である地図情報が記憶される地図情報記憶部と、複数の媒体種別のそれぞれに対応付けて、媒体種別に対応する読み取り端末が設置された地図上の位置を示す読み取り端末位置情報と、読み取り端末を地図上に表す表示情報とが含まれる読み取り端末情報が予め記憶されている読み取り端末位置情報記憶部とを備えた地図情報生成装置を用いた地図情報生成方法であって、地図情報生成装置の、媒体種別読み出し部が、情報記憶媒体に記憶された媒体種別を読み出すステップと、表示対象地図情報取得部が、地図情報に表される地図のうち、表示対象の地図の範囲を定める基準となる位置を示す位置基準情報であって、入力される位置基準情報に示される前記地図上の位置が含まれる範囲の地図情報を、地図情報記憶部から表示対象の地図情報として読み出すステップと、地図情報加工部が、表示対象の地図情報の、表示対象地図情報取得部が取得した表示対象の地図の範囲に含まれ、媒体種別読み出し部が読み出した媒体種別に対応付けられて読み取り端末位置情報に記憶されている読み取り端末位置情報が示す位置に、媒体種別に対応する表示情報を配置した加工済地図情報を生成するステップと、地図情報出力部が、地図情報加工部が生成した加工済地図情報を出力するステップと、を備えることを特徴とする。
【００１１】
また、本発明は、複数種類の媒体種別のうち、自身の媒体種別を示す情報が記憶され、媒体種別に対応する読み取り端末からの通信要求に応じて、自身に記憶されている情報を出力する情報記憶媒体と通信を行い、地図を表す画像である地図情報が記憶される地図情報記憶部と、複数の媒体種別のそれぞれに対応付けて、媒体種別に対応する読み取り端末が設置された地図上の位置を示す読み取り端末位置情報と、読み取り端末を地図上に表す表示情報とが含まれる読み取り端末情報が予め記憶されている読み取り端末位置情報記憶部とを備えた地図情報生成装置のコンピュータに、媒体種別読み出し部が、情報記憶媒体に記憶された媒体種別を読み出すステップと、表示対象地図情報取得部が、地図情報に表される地図のうち、表示対象の地図の範囲を定める基準となる位置を示す位置基準情報であって、入力される位置基準情報に示される前記地図上の位置が含まれる範囲の地図情報を、地図情報記憶部から表示対象の地図情報として読み出すステップと、地図情報加工部が、表示対象の地図情報の、表示対象地図情報取得部が取得した表示対象の地図の範囲に含まれ、媒体種別読み出し部が読み出した媒体種別に対応付けられて読み取り端末位置情報に記憶されている読み取り端末位置情報が示す位置に、媒体種別に対応する表示情報を配置した加工済地図情報を生成するステップと、地図情報出力部が、地図情報加工部が生成した加工済地図情報を出力するステップと、を実行させる地図情報生成プログラムである。
【発明の効果】
【００１２】
以上説明したように、本発明によれば、情報記憶媒体の媒体種別のそれぞれに対応付けて、読み取り端末が設置された地図上の位置を示す読み取り端末位置情報を予め記憶し、入力される位置基準情報に示される地図上の位置が含まれる範囲の表示対象の地図を読み出し、情報記憶媒体の媒体種別に対応付けられた表示対象の地図上の位置に、その媒体種別に応じた表示情報を配置した加工済地図情報を出力するようにしたので、ユーザが利用する情報記憶媒体の媒体種別に応じた読み取り端末の位置を確認できる加工済地図情報を生成して出力することが可能となる。
【００１３】
また、本発明によれば、情報記憶媒体は、読み取り端末からの通信要求に応じて定められた取引処理を行い、取引処理を行った場合、読み取り端末が設置された地図上の位置を識別可能な取引情報が含まれる利用履歴情報を記憶しており、情報記憶媒体に記憶された利用履歴情報を読み出して、読み出した利用履歴情報に含まれる取引情報に対応する読み取り端末の地図上の位置が含まれる範囲の地図情報に基づいて加工済地図情報を生成するようにしたので、情報記憶媒体の利用履歴情報に応じた加工済地図情報を生成して出力することが可能となる。
【００１４】
また、本発明によれば、表示端末の位置が含まれる範囲の地図情報に基づいて加工済地図情報を生成するようにしたので、表示端末が設置された位置に応じた加工済地図情報を生成して出力することが可能となる。
【００１５】
また、本発明によれば、携帯情報端末である情報記憶媒体が衛星測位システムにより取得した衛星測位位置情報が示す位置が含まれる範囲の地図情報に基づいて加工済地図情報を生成するようにしたので、情報記憶媒体の現在位置に応じた加工済地図情報を生成して出力することが可能となる。
【発明を実施するための最良の形態】
【００１６】
以下、本発明の一実施形態について、図面を参照して説明する。
＜第１の実施形態＞
図１は、本発明の第１の実施形態による地図情報生成システムの構成を示す図である。第１の実施形態による地図情報生成システムは、地図情報サーバ４００と、通信ネットワーク１０を介して地図情報サーバ４００に接続された複数のＰＣ（パーソナルコンピュータ）３００（ＰＣ３００−１、ＰＣ３００−２、ＰＣ３００−３）と、それぞれのＰＣ３００に接続された複数のＩＣカードリーダ２００（ＩＣカードリーダ２００−１、ＩＣカードリーダ２００−２、ＩＣカードリーダ２００−３）と、ＩＣカードリーダ２００に情報が読み込まれる複数のユーザのＩＣカード１００（ＩＣカード１００−１、ＩＣカード１００−２）または携帯電話端末１５０−３と、ＩＣカード１００または携帯電話端末１５０−３と通信を行って取引処理サービスを提供する複数のＩＣカード読み取り端末５００（ＩＣカード読み取り端末５００−１、ＩＣカード読み取り端末５００−２、ＩＣカード読み取り端末５００−３、ＩＣカード読み取り端末５００−４）とを備えている。以下、それぞれの端末について、個別に説明する必要がない場合には、それぞれＩＣカード１００、ＩＣカードリーダ２００、ＰＣ３００、ＩＣカード読み取り端末５００として説明する。
【００１７】
ＩＣカード１００は、情報の記憶や演算を行う機能を有するＩＣ（集積回路）チップを備える情報記憶媒体であり、クレジットカード、キャッシュカード、電子マネー、電子チケット、電子クーポンなどの１または複数のサービスに対応する取引処理を行う機能が搭載される。ここで、取引処理には、クレジットカードによる決済処理や、予めチャージされた電子マネーによる支払処理などを含む。また、ＩＣカード１００は、定められた区間の定期乗車券としての機能や、乗車駅、降車駅などの自動改札と通信を行って予めチャージされた電子マネーを利用した支払処理を行う乗車カードの機能を備えるようにしても良い。ＩＣカード１００には、自身のＩＣチップが備える機能を識別可能な媒体種別がそれぞれに記憶されている。
【００１８】
このようなＩＣチップを備えた情報記憶媒体として、ＩＣカード１００の他に、携帯電話端末１５０−３を適用することができる。携帯電話端末１５０−３は、ＩＣカード１００と同様の機能を備えた携帯電話端末であり、さらにＧＰＳ（Global Positioning System）機能により自端末の位置情報を取得する機能を備えている。
【００１９】
ＩＣカードリーダ２００は、ＰＣ３００に接続されており、自身の通信領域内にＩＣカード１００を検知すると、ＩＣカード１００と無線通信を行ってＩＣカード１００に記憶された媒体種別を読み出す。
ＰＣ３００は、ＩＣカード１００を利用するユーザの自宅に設置されたＰＣであり、ＩＣカードリーダ２００がＩＣカード１００から読み出した媒体種別に応じて、ＩＣカードリーダ２００を介してＩＣカード１００と通信を行い、ＩＣカード１００に記憶された利用履歴情報の読み出しや、ＩＣカード１００に対応する取引処理サービスの提供などを行う。
【００２０】
ＩＣカード読み取り端末５００は、店舗や駅などに設置されるコンピュータ装置であり、自身の通信領域内にＩＣカード１００を検知すると、読み出したＩＣカード１００に対応する定められた情報を自身に備えられたディスプレイに表示する処理や、クレジットカード決済処理、電子マネー支払処理などの取引処理などを行う。ＩＣカード読み取り端末５００は、例えば、ＩＣカードによる取引処理が可能な自動販売機や、駅などの自動改札でも良いし、または図１のＩＣカード読み取り端末５００−３やＩＣカード読み取り端末５００−４などに図示されるように、専用のアプリケーションが予め利用可能に設定されたＰＣと、そのＰＣに接続されたＩＣカードリーダ／ライタから構成され、取引処理が可能な店舗などに備えられたコンピュータ装置でも良い。
【００２１】
地図情報サーバ４００は、通信ネットワーク１０を介して複数のＰＣ３００、ＩＣカード読み取り端末５００と接続され、ＩＣカードリーダ２００またはＩＣカード読み取り端末５００によってＩＣカード１００から読み出された媒体種別または利用履歴情報に応じて加工された加工済地図情報を配信するコンピュータサーバ装置である。
なお、図１には、３台のＰＣ３００と、それぞれのＰＣ３００に接続された３台のＩＣカードリーダ２００と、ユーザに利用される２枚のＩＣカード１００または１台の携帯電話端末１５０−３と、４台のＩＣカード読み取り端末５００とを例に説明するが、それぞれ、図１に示した以上の台数、枚数の端末、装置を適用しても良い。
【００２２】
以下、図２を参照して、ＩＣカード１００と、ＩＣカードリーダ２００と、ＰＣ３００と、地図情報サーバ４００との構成を詳細に説明する。
ＩＣカード１００は、記憶部１１０と、ＩＣカード通信部１２０とを備えている。ＩＣカード１００は、無線通信によりＩＣカードリーダ２００と通信を行う非接触型ＩＣカードであり、電子マネーの機能と、当該電子マネーの機能により予めチャージされた金額に基づいて電車やバスなどに乗車する際の運賃の支払処理を行う乗車カードの機能とを備えている。
【００２３】
記憶部１１０は、媒体種別情報記憶部１１１と、利用履歴情報記憶部１１２とを備えている。媒体種別情報記憶部１１１には、ＩＣカード１００の種別を識別する媒体種別が記憶される。媒体種別は、対応する取引処理サービスを識別する情報であり、本実施形態では、電子マネーと乗車カードとの機能を兼ねる取引処理サービスに対応することを示す情報である。
【００２４】
利用履歴情報記憶部１１２には、ＩＣカード１００を用いて取引処理が行われた際に、その取引に関する利用履歴情報が記憶される。図３の（ａ）に、利用履歴情報記憶部１１２に記憶される利用履歴情報のデータ例を示す。利用履歴情報には、施設コード、利用日時、取引金額等の取引コードが含まれる。施設コードは、ＩＣカード１００に記憶された情報を読み込んで取引処理を行ったＩＣカード読み取り端末５００が設置された店舗、駅などの施設を識別可能な情報であり、例えば、取引を行ったＩＣカード読み取り端末５００に予め付与された識別情報である。施設コードには、例えばＩＣカード１００が乗車カードとして利用される場合は、駅を一意に識別可能な駅コードが適用でき、コンビニエンスストアなどで電子マネーとして利用される場合は、店舗を一意に識別可能な店舗コードが適用できる。利用日時は、取引処理を行った日時を示す情報である。取引金額は、取引処理によって取引された金額を示す情報である。
ＩＣカード通信部１２０は、ＩＣカードリーダ２００と無線通信を行う。
【００２５】
ＰＣ３００は、ユーザが利用する情報端末であり、制御部、演算部、記憶部、入力部、出力部を備えるコンピュータ装置である。ＰＣ３００には、ＩＣカードリーダ２００と通信を行うデバイスドライバや、ＩＣカードリーダ２００を介して定められた媒体種別のＩＣカード１００と通信を行ってＩＣカード１００からの利用履歴情報の読み出しや取引処理を行うアプリケーションなどのプログラムが予めインストールされ記憶されている。
ＩＣカードリーダ２００は、ＰＣ３００に接続され、ユーザからＰＣ３００に入力される操作情報に応じて、ＩＣカード１００と通信を行い、ＩＣカード１００に記憶された情報の読み出しや書き込みを行う。
【００２６】
地図情報サーバ４００は、ＩＣカード１００から読み出された情報に応じた地図情報を出力するコンピュータサーバ装置であり、記憶部４１０と、地図情報出力部４２０と、地図情報加工部４３０と、地図情報サーバ通信部４４０と、表示対象地図情報取得部４５０とを備えている。
【００２７】
図４に、ＩＣカード１００から読み出された情報に応じて地図情報サーバ４００が生成する加工済地図情報の画像例を示す。地図情報サーバ４００が生成する加工済地図情報は、乗車カードの機能が利用されたＩＣカード１００から読み出した利用履歴情報の施設コードによって識別される乗車駅の位置（図４の（ａ））を基準として、表示対象の地図の範囲が定められた地図情報である。本実施形態では、加工済地図情報は、施設コードに対応する位置を中心とする地図情報であり、その地図の範囲内に存在し、媒体種別に対応する取引処理が可能なＩＣカード読み取り端末５００が設置された店舗の位置（図４の（ｂ−１）、（ｂ−２）、（ｂ−３））に、「加盟店」の文字情報が配置され表示されている。また、加工済地図情報には、図４の（ｃ）に示されるように、予め定められたランドマークとなる施設の位置や、予め定められた広告に対応する位置などに、そのランドマークや広告の画像情報を配置させるようにしても良い。
【００２８】
また、加工済地図情報に含まれる範囲に存在する表示情報は、レストランや遊戯施設などのカテゴリー毎に区別して表示されるようにしても良い。例えば、地図情報サーバ４００は、加工済地図情報とともに、その加工済地図情報の地図の範囲に含まれる施設のカテゴリーを示す文字情報をリスト化して表示させ、いずれかのカテゴリーを示す文字情報が選択された場合に、そのカテゴリーに含まれる施設の表示情報を地図上に表示させるようにしても良い。
【００２９】
図２に戻り、記憶部４１０は、地図情報の生成に用いる情報が記憶される記憶部であり、読み取り端末情報記憶部４１１と、地図情報記憶部４１２とを備えている。
読み取り端末情報記憶部４１１には、提供される取引処理サービス毎に対応付けられる媒体種別毎に、その媒体種別に対応するＩＣカード読み取り端末５００が設置された店舗等の施設の位置情報が予め記憶される。図３の（ｂ）は、読み取り端末情報記憶部４１１に記憶される読み取り端末情報のデータ例を示す図である。読み取り端末情報には、媒体種別、施設コード、読み取り端末位置情報、表示アイコンなどの情報が含まれる。媒体種別は、ＩＣカード１００と通信を行って提供する取引処理サービスの種別を識別する情報であり、例えば、媒体種別「Ａ」は、電子マネーと乗車カードとの機能を兼ねる取引処理サービスに対応することを示す情報である。
【００３０】
施設コードは、店舗の決済装置や駅の自動改札などに設置されるＩＣカード読み取り端末５００のそれぞれの施設を識別可能な情報であり、ＩＣカード読み取り端末５００に予め付与される。読み取り端末位置情報は、対応する施設コードが付与されたＩＣカード読み取り端末５００が設置される店舗等の位置を示す情報である。すなわち、読み取り端末位置情報に示される位置に存在する店舗等では、対応する媒体種別のＩＣカードを利用した取引処理サービスの提供を受けることが可能であることが示される。読み取り端末位置情報は、ＩＣカード読み取り端末５００が設置された位置を示す情報であれば良く、本実施形態では、ＩＣカード読み取り端末５００が設置された位置の緯度と経度とのそれぞれが数値で表された情報である。表示情報は、地図上の媒体種別または施設コードに応じた位置に表示される情報であり、例えば、「加盟店」などの文字情報や、対応する媒体種別を表すアイコン画像などの情報が記憶される。ここで、表示情報は、その読み取り端末位置情報が示す位置にゆかりのある画像などとしても良い。ここで、ゆかりのある画像とは、例えば、対応するＩＣカード読み取り端末５００が設置された店舗の写真画像などである。
図２に戻り、地図情報記憶部４１２には、予め定められた範囲の地図情報が記憶される。地図情報は、例えば、日本全土に渡る地図を表す画像情報であり、緯度、経度を示す情報に対応付けられた情報である。
【００３１】
地図情報サーバ４００の地図情報サーバ通信部４４０は、通信ネットワーク１０を介してＰＣ３００と通信を行う。
表示対象地図情報取得部４５０は、ＩＣカードリーダ２００によってＩＣカード１００から読み出された利用履歴情報を、ＰＣ３００から通信ネットワーク１０と地図情報サーバ通信部４４０とを介して受信する。受信した利用履歴情報に含まれる施設コードに対応する読み取り端末位置情報を、表示対象の地図の範囲を定める基準となる位置を示す位置基準情報として対応端末位置情報記憶部４１１から読み出し、位置基準情報が示す地図上の位置を含む範囲の表示対象の地図情報を、地図情報記憶部４１２から読み出す。ここで、読み出される表示対象の地図情報は、利用履歴情報に含まれる施設コードに対応する読み取り端末位置情報が含まれる範囲であれば良く、その読み取り端末位置情報が示す位置（例えば、図４の（ａ））を中心とする地図情報でも良いし、読み取り端末位置情報が示す位置は中心から外れていても、表示対象の地図情報に含まれていれば良い。
【００３２】
ここで、表示対象地図情報取得部４５０が読み出す表示対象の地図情報の範囲の縮尺（例えば、１００ｍ、５００ｍ、１ｋｍ、等）は、予め定められた縮尺でも良いし、ユーザから入力された縮尺に応じて表示対象の地図情報の範囲を変更するようにしても良い。また、表示対象の地図情報の縮尺の範囲は、例えば、利用履歴情報に含まれる施設コードに対応する媒体種別に対応付けられたＩＣカード読み取り端末５００の数によって判定するようにしても良い。この場合、例えば、利用履歴情報に含まれる施設コードに対応する読み取り端末位置情報を中心として、１０個のＩＣカード読み取り端末５００が存在する範囲の地図情報を表示対象とするようにしても良い。
【００３３】
地図情報加工部４３０は、表示対象地図情報取得部４５０が地図情報記憶部４１２から読み出した表示対象の地図情報の範囲に含まれ、表示対象地図情報取得部４５０が表示地図情報の中心とした利用履歴情報の媒体種別に対応する読み取り端末の読み取り端末位置情報を、対応端末位置情報記憶部４１１から読出す。また、読み出した読み取り端末位置情報が示す表示対象の地図上の位置（例えば、図４の（ｂ−１）、（ｂ−２）、（ｂ−３））に、その媒体種別に対応する表示情報を配置させた加工済地図情報を生成する。また、地図情報加工部４３０は、自身の記憶領域に、アイコン画像などの広告情報と緯度、経度情報とを対応付けた情報を記憶させておき、表示対象の地図情報に含まれる範囲の位置に対応付けられた広告情報（例えば、図４の（ｃ））を配置させるようにしても良い。
【００３４】
地図情報出力部４２０は、地図情報加工部４３０が生成した加工済地図情報を出力する。地図情報出力部４２０は、地図情報サーバ通信部４４０を介してＰＣ３００に加工済地図情報を送信し、ＰＣ３００に表示させるようにしても良いし、ＩＣカード１００に対応付けられて予め記憶された携帯電話端末などのメールアドレスを宛先として加工済地図情報を送信するようにしても良いし、接続されたプリンタなどに地図情報を転送し、紙にプリントアウトさせるようにしても良い。
【００３５】
次に、図５を参照して、本実施形態による地図情報生成システムが、ＩＣカード１００から読み出した情報に応じた加工済地図情報を生成して出力する動作例を説明する。
ここでは、ユーザが利用するＩＣカード１００は乗車カードとして利用され、乗車した駅の自動改札のＩＣカード読み取り端末５００に対応する施設コードを含む利用履歴情報が予め記憶されている。
【００３６】
ユーザは、ＰＣ３００に接続されたＩＣカードリーダ２００に、乗車カードとして利用したＩＣカード１００を近接させる。ＩＣカードリーダ２００は、通信領域内にＩＣカード１００が近接されたことを検知すると、ＩＣカード１００から、ＩＣカード１００に記憶された媒体種別と、利用履歴情報とを読み出す（ステップＳ１）。ＰＣ３００は、ＩＣカードリーダ２００がＩＣカード１００から読み出した媒体種別と利用履歴情報とを、通信ネットワーク１０を介して地図情報サーバ４００に送信する（ステップＳ２）。
【００３７】
地図情報サーバ４００の地図情報サーバ通信部４４０が、ＰＣ３００から送信される媒体種別と利用履歴情報とを受信すると、表示対象地図情報取得部４５０が、受信した利用履歴情報に含まれる施設コードを読み出す。また、表示対象地図情報取得部４５０は、読出した施設コードに対応する読み取り端末位置情報を、対応端末位置情報記憶部４１１から読み出す（ステップＳ３）。ここで読み出された読み取り端末位置情報は、ＩＣカード１００が利用され取引処理が行われた自動改札のＩＣカード読み取り端末５００に対応する位置情報であり、例えば、ＩＣカード１００を用いて乗車した乗車駅の位置の緯度と経度とを示す情報である。
【００３８】
そして、表示対象地図情報取得部４５０は、ステップＳ３で読み出した乗車駅の読み取り位置情報の緯度、経度を中心として、定められた縮尺の範囲の表示対象地図情報を、地図情報記憶部４１２から読み出す（ステップＳ４）。
地図情報加工部４３０は、表示対象地図情報取得部４５０が読み出した表示対象地図情報に含まれる範囲の緯度、経度の情報を取得し、表示対象地図情報の範囲内に含まれる読み取り端末位置情報を、対応端末位置情報記憶部４１１から検出する。そして、地図情報加工部４３０は、表示対象地図情報内の、検出した読み取り端末位置情報が示す位置に、読み取り端末位置情報に対応する表示情報を配置した、図４に示したような加工済地図情報を生成する（ステップＳ６）。
【００３９】
地図情報出力部４２０は、ステップＳ６で地図情報加工部４３０が生成した加工済地図情報を、地図情報サーバ通信部４４０を介して、ＰＣ３００に送信する（ステップＳ７）。ＰＣ３００は、受信した加工済地図情報を、ディスプレイに表示させる。このように表示された加工済地図情報を閲覧することで、ユーザは、自身がＩＣカード１００を利用した場所や、その場所の近くにあって、そのＩＣカード１００が利用できる店舗の位置を確認することができる。
【００４０】
なお、ＩＣカード１００の利用履歴情報記憶部１１２に、複数件の利用履歴情報が記憶されている場合には、利用日時が最も新しい利用履歴情報に含まれる施設コードに基づいて表示対象地図情報の範囲を判定しても良いし、複数件の利用履歴情報を画面に表示し、ユーザに選択された利用履歴情報に含まれる施設コードに基づいて表示対象地図情報の範囲を判定しても良い。
【００４１】
＜第２の実施形態＞
次に、本発明の第２の実施形態による地図情報生成システムについて説明する。第１の実施形態では、ユーザの自宅に設置されたＰＣ３００とＩＣカードリーダ２００からＩＣカード１００の媒体種別と利用履歴情報とを読み出し、読み出した利用履歴情報に基づいて表示対象の地図情報の範囲が定められた。これに対し、本実施形態では、駅などに設置されたＩＣカード読み取り端末５００がＩＣカード１００の媒体種別を読み出し、そのＩＣカード読み取り端末５００を中心として表示対象の地図情報の範囲を定めて加工済地図情報を生成するものである。本実施形態は、第１の実施形態と略同様の構成、処理を行うものであり、同一の構成、処理については、同一の符号を付し、その説明を省略する。
【００４２】
図６は、本実施形態による地図情報生成システムの構成を示す図である。本実施形態における地図情報生成システムは、ＩＣカード１００と、駅などに設置され、ＩＣカード１００に記憶された情報を読み出すＩＣカード読み取り端末５００と、ＩＣカード読み取り端末５００と通信ネットワーク１０を介して接続された地図情報サーバ４００とを備えている。
【００４３】
ＩＣカード読み取り端末５００は、ＩＣカード１００が近接され、自身の通信領域内にＩＣカード１００を検知すると、ＩＣカード１００と無線通信を行い、ＩＣカード１００に記憶された媒体種別を読み出し、読み出した媒体種別に応じた地図情報を表示部に表示させるコンピュータ装置である。ＩＣカード読み取り端末５００は、表示端末位置情報記憶部５１０を備えており、表示端末位置情報記憶部５１０には、複数のＩＣカード読み取り端末５００のうち、それぞれのＩＣカード読み取り端末５００が設置された位置を示す表示端末位置情報が記憶されている。本実施形態では、表示端末位置情報は、地図情報サーバ４００の地図情報記憶部４１２に記憶された地図情報が表す地図上の位置を示す。ＩＣカード読み取り端末５００は、ＩＣカード１００から媒体種別を読み出すと、読み出した媒体種別と、自身の表示端末位置情報記憶部５１０に記憶された表示端末位置情報とを、地図情報サーバ４００に送信する。
【００４４】
地図情報サーバ４００の表示対象地図情報取得部４５０は、ＩＣカード読み取り端末５００から送信される表示端末位置情報が示す位置を中心とした範囲の表示対象の地図情報を、地図情報記憶部４１２から読み出す。
地図情報加工部４３０は、第１の実施形態と同様に、表示対象地図情報取得部４５０が読み出した表示対象の地図情報の範囲に含まれ、ＩＣカード１００の媒体種別に対応するＩＣカード読み取り端末５００の読み取り端末位置情報を、読み取り端末位置情報記憶部４１１から読み出し、読み出した読み取り端末位置情報に対応する位置に、その媒体種別に対応する表示情報を配置させた加工済地図情報を生成する。
【００４５】
次に、図７を参照して、本実施形態による地図情報生成システムが、ＩＣカード１００から読み出した情報に応じた加工済地図情報を生成して出力する動作例を説明する。
ユーザは、駅前に設置されたＩＣカード読み取り端末５００に、ＩＣカード１００を近接させる。ＩＣカード読み取り端末５００は、通信領域内にＩＣカード１００が近接されたことを検知すると、ＩＣカード１００から、ＩＣカード１００に記憶された媒体種別を読み出す（ステップＳ１１）。ＩＣカード読み取り端末５００は、読み出した媒体種別と、自身の表示端末位置情報記憶部５１０に記憶された表示端末位置情報を、通信ネットワーク１０を介して地図情報サーバ４００に送信する（ステップＳ１２）。
【００４６】
地図情報サーバ４００の地図情報サーバ通信部４４０が、ＩＣカード読み取り端末５００から送信される媒体種別と表示端末位置情報とを受信すると、表示対象地図情報取得部４５０は、受信した表示端末位置情報の緯度、経度を中心として、定められた縮尺の範囲の表示対象地図情報を、地図情報記憶部４１２から読み出す（ステップＳ１３）。ここで、表示端末位置情報は、ＩＣカード１００を利用するユーザの現在位置である。
【００４７】
地図情報加工部４３０は、表示対象地図情報取得部４５０が読み出した表示対象地図情報に含まれる範囲の緯度、経度の情報を取得し、表示対象地図情報の範囲内に含まれる読み取り端末位置情報を、対応端末位置情報記憶部４１１から検出する（ステップＳ１４）。そして、地図情報加工部４３０は、表示対象地図情報内の、読み取り端末位置情報が示す位置に、読み取り端末位置情報に対応する表示情報を配置した加工済地図情報を生成する（ステップＳ１５）。
【００４８】
地図情報出力部４２０は、ステップＳ１６で地図情報加工部４３０が生成した加工済地図情報を、地図情報サーバ通信部４４０を介して、ＩＣカード読み取り端末５００に送信する（ステップＳ１６）。ＩＣカード読み取り端末５００は、受信した加工済地図情報を、ディスプレイに表示させる。ユーザは、このように表示された加工済地図情報を閲覧することで、自身の現在位置の近くにあって、そのＩＣカード１００が利用できる店舗の位置を確認することができる。
【００４９】
なお、第２の実施形態では、ユーザが利用する情報記憶媒体であるＩＣカード１００には、媒体種別が記憶されていれば、その媒体種別に対応するＩＣカード読み取り端末５００の読み取り端末位置情報を読み取り端末位置情報記憶部４１１から検出することができるため、必ずしもＩＣカード１００が履歴情報を記憶している必要はなく、この場合、ユーザの情報記憶媒体は、ＩＣチップを備えない磁気カードを適用しても良い。
【００５０】
また、本発明の各実施形態では、ＩＣカード１００に複数の媒体種別が記憶されている場合には、複数の媒体種別を示す識別情報をディスプレイに表示させ、ユーザから入力される操作情報に応じて媒体種別を選択しても良いし、媒体種別を読み取るＩＣカード読み取り端末５００やＰＣ３００またはＩＣカードリーダ２００に応じて、定められた媒体種別を選択するようにしても良い。
【００５１】
また、本発明の各実施形態では、ＩＣカードリーダとＰＣとが、ユーザのＩＣカード１００から情報を読み取ることとしたが、ＩＣカード１００と情報通信を行って情報を読み出すことが可能な各種機器や、ＰＤＡ（Personal Digital Assistant）、携帯電話端末などの、入力部、出力部、制御部、演算部、記憶部を備えたコンピュータ機器によって、ＩＣカード１００に記憶された情報を読み出すようにしても良い。
【００５２】
また、本発明の各実施形態では、選択された表示対象の地図情報の範囲内に存在するＩＣカード読み取り端末５００に対応する位置に表示情報を配置させる処理を、地図情報サーバ４００が備える表示対象地図情報取得部４５０または地図情報加工部４３０が行うようにしたが、ＰＣ３００またはＩＣカード読み取り端末５００が通信ネットワーク１０を介して地図情報サーバ４００から地図情報と表示情報とを取得し、加工済地図情報の生成を行うようにしても良い。
【００５３】
また、ユーザの自宅に設置されたＰＣ３００に接続されたＩＣカードリーダ２００が、ＩＣカード１００に記憶された情報を読み出した際、情報を読み出したＩＣカードリーダ２００の位置が表示対象の地図情報の中心となるようにしても良い。この場合、例えば、読み出したＩＣカード１００の識別情報に対応する予め登録されたユーザの住所情報を含むアカウント情報から、ＰＣ３００の地図上の位置を特定するようにしても良い。または、情報記憶媒体としてＩＣチップとＧＰＳ機能を備えた携帯電話端末１５０−３を適用し、携帯電話端末１５０−３が衛星測位システムにより取得する衛星測位位置情報を、地図情報サーバ４００が読み出して、読み出した衛星測位位置情報を位置基準情報として、加工済地図情報の生成を行うようにしても良い。ここで、情報記憶媒体には、携帯電話端末の他に、ＧＰＳ機能を備えるＰＤＡなどを適用しても良い。
【００５４】
このように、本発明による各実施形態によれば、ユーザは、自身が利用するＩＣカード１００をＩＣカードリーダ２００またはＩＣカード読み取り端末５００に近接させるだけで、自身のＩＣカード１００の媒体種別に応じて、その媒体種別に対応する取引処理サービスを利用することができる店舗等の情報が地図上にプロットされ表示された地図情報が提供されるので、ユーザにとって有用な情報を、ユーザにとって簡単な方法で提供することが可能である。
【００５５】
また、ＩＣカード１００のユーザは、ＩＣカード１００を利用して利用履歴情報を増やすことで、より多彩な情報に基づいた加工済地図情報を閲覧することができるようになるため、利用履歴情報を増やす楽しみを見出し、ＩＣカード１００を積極的に利用するようになることが期待できる。
さらに、媒体種別毎の取引処理サービス提供者にとっても、自身の提供する取引処理サービスの利用可能店舗などを表示させたり、地図情報に広告を付加したりすることで、広告効果や広告の対価などが期待できる。
【００５６】
なお、本発明における処理部の機能を実現するためのプログラムをコンピュータ読み取り可能な記録媒体に記録して、この記録媒体に記録されたプログラムをコンピュータシステムに読み込ませ、実行することにより地図情報の生成を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５８】
【図１】本発明の第１の実施形態による端末構成を示す図である。
【図２】本発明の第１の実施形態によるブロック構成を示す図である。
【図３】本発明の第１の実施形態による記憶部に記憶されるデータ例を示す図である。
【図４】本発明の第１の実施形態により生成される加工済地図情報の例を示す図である。
【図５】本発明の第１の実施形態によるフローチャートを示す図である。
【図６】本発明の第２の実施形態によるブロック構成を示す図である。
【図７】本発明の第２の実施形態によるフローチャートを示す図である。
【符号の説明】
【００５９】
１０  通信ネットワーク
１００  ＩＣカード
１１０  記憶部
１１１  媒体種別情報記憶部
１１２  利用履歴情報記憶部
１２０  ＩＣカード通信部
１５０  携帯電話端末
２００  ＩＣカードリーダ
３００  ＰＣ
４００  地図情報サーバ
４１０  記憶部
４１１  読み取り端末位置情報記憶部
４１２  地図情報記憶部
４２０  地図情報出力部
４３０  地図情報加工部
４４０  地図情報サーバ通信部
４５０  表示対象地図情報取得部
５００  ＩＣカード読み取り端末
５１０  表示端末位置情報記憶部
【図１】
2009266172.tif 000003
【図２】
2009266172.tif 000004
【図３】
2009266172.tif 000005
【図４】
2009266172.tif 000006
【図５】
2009266172.tif 000007
【図６】
2009266172.tif 000008
【図７】
2009266172.tif 000009